Podtech/llm-jp-corpus-v4-ja_patent huggingface dataset:
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
繊維材料のドライクリーニング方法であって、繊維材料を以下の一般式（１）で表される化合物で処理することを特徴とする前記方法。
【化１】
2008535951.tif 000001
［式中、
Ａは、（ＣＨ2）aまたはフェニレンであり、
Ｒ1、Ｒ2、Ｒ3及びＲ4は、同一かまたは互いに独立して、Ｃ1〜Ｃ22−ｎ−及び／またはｉｓｏ−アルキル、Ｃ5−もしくはＣ6−シクロアルキル、フェニル−Ｃ1〜Ｃ4−アルキル、Ｃ1〜Ｃ9−アルキル−フェニル、またはフェニルを意味し、そして
ａは０〜６の整数である］
【請求項２】
上記式（１）中、Ｒ1、Ｒ2、Ｒ3及びＲ4が同一かまたは互いに独立してＣ1〜Ｃ13−ｎ−及び／またはｉｓｏ−アルキル、Ｃ5−もしくはＣ6−シクロアルキル、フェニル−Ｃ1〜Ｃ2−アルキル、Ｃ1〜Ｃ9−アルキル−フェニル、またはフェニルを意味し、そしてａが０〜２の整数を意味する同式で表される化合物で繊維材料を処理することを特徴とする、請求項１の方法。
【請求項３】
前記式（１）中、Ｒ1、Ｒ2、Ｒ3及びＲ4が同一かまたは互いに独立してＣ1〜Ｃ8−ｎ−及び／またはｉｓｏ−アルキル、シクロヘキシル、ベンジルまたはフェニルを意味し、そしてａが０または１を意味する同式で表される化合物で繊維材料を処理することを特徴とする、請求項１の方法。
【請求項４】
前記式（１）中、Ｒ1、Ｒ2、Ｒ3及びＲ4が同一かまたは互いに独立してＣ1〜Ｃ3−ｎ−及び／またはｉｓｏ−アルキルを意味し、そしてａが０を意味する同式で表される化合物で繊維材料を処理することを特徴とする、請求項１の方法。
【請求項５】
前記式（１）の化合物を基礎クリーニングに使用することを特徴とする、請求項１の方法。
【請求項６】
前記式（１）の化合物を、シミ抜き剤、クリーニング増強剤またはクリーニング活性化剤の成分として使用することを特徴とする、請求項１の方法。
【請求項７】
前記式（１）の化合物を、陰イオン性界面活性剤、非イオン性界面活性剤、両性界面活性剤、陽イオン性界面活性剤、臭吸収剤、脱臭剤、香料、帯電防止剤、殺菌剤、例えば殺バクテリア剤及び殺真菌剤、防腐剤、可溶化剤、繊維再生剤、仕上げ剤、乳化剤、酵素、含浸剤、並びに少量の水と組み合わせて使用することを特徴とする、請求項１の方法。
【請求項８】
前記式（１）中、Ｒ1、Ｒ2、Ｒ3及びＲ4がメチル及び／またはエチルを意味し、そしてａが０を意味する同式で表される化合物で繊維材料を処理することを特徴とする、請求項１の方法。
【請求項９】
繊維材料のドライクリーニング方法が産業的に行われることを特徴とする、請求項１の方法。
【請求項１０】
繊維材料のドライクリーニング方法が家庭で行われることを特徴とする、請求項１の方法。
【請求項１１】
前記式（１）中、Ｒ1、Ｒ2、Ｒ3及びＲ4基が、異なる炭素原子数を含む同式で表される化合物を使用することを特徴とする、請求項１の方法。
【請求項１２】
それぞれ含まれる炭素原子の数が異なる前記式（１）の二種またはそれ以上の化合物を使用することを特徴とする、請求項１の方法。
【請求項１３】
前記式（１）の化合物を、パークロロエチレン及び／または炭化水素と組みあわせて使用することを特徴とする、請求項１の方法。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
ブタジエンの沸点近くで沸騰するＣ4化合物の混合物からブタジエンを溶媒抽出し、プロセスの生成物としてブタジエンを回収するプロセスであって、ブタジエンとブタジエン抽出プロセス中に生成するタールとを搬送する溶媒抽出流を形成するために、前記Ｃ4の混合物からブタジエンを選択的に抽出する少なくとも１つのリーンソルベントを使用する少なくとも１つの溶媒抽出工程を使用し、抽出物は、溶媒およびタールからブタジエンを分離するためにストリッピング操作で処理し、前記溶媒およびタールから分離したブタジエンを該プロセスの生成物として回収し、溶媒およびタールからなる分離した一次混合物を回収して少なくとも１つの前記溶媒抽出工程で再使用するプロセスであり、溶媒およびタールの前記一次混合物の二次部分を一次混合物から分離して、該二次部分から、および前記抽出プロセスから多量のタールを除去する再生工程で処理することにより、タール含量が本質的に激減した二次のリーンソルベント流を形成し、さらに該二次のリーンソルベント流を前記抽出プロセス中に再導入して更なるブタジエンを吸収するプロセスにおいて、前記抽出プロセス中の溶媒およびタールの全重量に対して１．６重量％以下の量で抽出プロセス中に存在するタールの量を維持するために、抽出プロセスから十分な量のタールを除去するように抽出プロセスを操作することを含む改良方法。
【請求項２】
前記抽出プロセスにおいて２種の溶媒を使用し、一次溶媒を主要量で使用し、二次溶媒を副次で使用し、抽出プロセス中の二次溶媒およびタールの合計量を、抽出プロセス中の溶媒とタールの双方の合計重量に対して５重量％未満の量で維持するように、再生工程を含む前記抽出プロセスを操作する、請求項１に記載の方法。
【請求項３】
前記再生工程が、溶媒をタールから蒸気として頂部へ沸騰させ、前記抽出プロセス中に再導入するために本質的にタールを含まない液体に凝縮させ、タールを抽出プロセスから隔離除去するためにリボイラー内に残す頂部蒸気凝縮システムを備えた少なくとも１つのリボイラーを使用し、該リボイラー中のタールが、リボイラー内で蒸気空間がその上にある上方タール液面を有し、リボイラーへの前記タール含有溶媒二次部分供給流に対して、１）リボイラー内で発泡を防ぐのに十分な温度で、リボイラー内の前記タール液面より下方に導入されること、および２）リボイラー内の前記タール液面より上方の蒸気空間内に導入されることの少なくとも一方を行うように、前記リボイラーを操作する、請求項１に記載の方法。
【請求項４】
前記タール液面より下方に導入したタール含有溶媒が、前記タール液面の下にある間に、前記溶媒の瞬間蒸発を本質的に避けるのに十分低温である、請求項３に記載の方法。
【請求項５】
前記タール液面より上方に導入したタール含有溶媒を、前記タール液面より上方の蒸気空間中にある間に、前記溶媒の少なくとも幾らかの瞬間蒸発を起こし得る温度に加熱する、請求項３に記載の方法。
【請求項６】
前記再生工程を含む前記抽出プロセスで再使用するタール含有溶媒を分離するためのストリッパーユニットとその各々が連合する２つの溶媒抽出塔を使用し、連合するストリッパーの各々からの溶媒およびタールの一次混合物を併せて、溶媒およびタールからなる単一の一次混合物を形成し、該単一の一次混合物の二次部分を、再生工程でタールを分離するために、単一の一次混合物から分流する、請求項２に記載の方法。
【請求項７】
前記再生工程が、溶媒をタールから蒸気として頂部へ沸騰させ、前記抽出プロセス中に再導入するために液体に凝縮させ、タールを抽出プロセスから隔離除去するためにリボイラー内に残す、頂部凝縮システムを備えた少なくとも１つの釜型リボイラーを使用し、リボイラー内のタールは、蒸気空間がその上方にある上方タール液面を有し、リボイラーへのタール含有溶媒二次部分供給流に対して、１）リボイラー内の溶媒／タールの発泡およびそれに伴う頂部内へのタールのキャリーオーバーを防ぐのに十分な温度で、リボイラー内の前記タール液面より下方に導入されること、および２）リボイラー内の前記タール液面より上方の蒸気空間内に導入されることの少なくとも一方を行うように、リボイラーを操作する、請求項６に記載の方法。
【請求項８】
前記溶媒が、ジメチルホルムアミドおよびフルフラールであり、ジメチルホルムアミドが、溶媒およびタールの双方を併せた合計重量に対して９０重量％を超える量で存在し、フルフラールが、１０重量％未満の量で存在し、本質的に全てのタールが、再生溶媒を抽出プロセス中に再導入する前に、溶媒およびタールの前記一次混合物の前記二次部分から除去される、請求項２に記載の方法。
【請求項９】
溶媒およびタールの前記一次混合物の前記二次部分が、一次混合物の全重量に対して、０．５重量％から４０重量％までである、請求項８に記載の方法。
【請求項１０】
前記再生工程を含む前記抽出プロセスを、前記抽出プロセスにおける溶媒およびタールの全重量に対して、前記抽出プロセスにおいて１）タール量を１．６重量％未満の量で、および２）タールおよび二次溶媒の全量を５重量％未満の量での双方を維持するように操作する請求項９に記載の方法。
【請求項１１】
前記タールが、前記Ｃ4化合物から形成されるポリマーであり、該ポリマーが、前記抽出プロセスの温度および圧力の操作条件下で容易には蒸発しない請求項１に記載の方法。
【手続補正２】
【補正対象書類名】明細書
【補正対象項目名】００２６
【補正方法】変更
【補正の内容】
【００２６】
図１および図２の組合せによって示される抽出プラントの従来技術の操作では、一次流５０から取り出される二次の側流５１の量（体積または重量）は、タールを含まない二次流５３が一次流と混合してストリーム５４を形成した後に、得られた一次流５４が、プラント設計によって求められるタール含量、例えば、本発明以前に当業界によって指定されていた２ｗｔ％以上のタールを本質的に有するように変化させていた。側流５１の量と側流５１を一次溶媒流に戻して加える前のユニット５２内でその側流から除去されるタールの量とは、このタール目標２ｗｔ％に合わせるために、操作者が利用した。ライン４（図１）を経て添加される二次溶媒の量は、前述二次の溶媒／タールの相互関係の目標、例えば、二次溶媒４とタールの合計量５ｗｔ％、を達成するために操作者が利用することができ、また、ストリーム５４を形成するために加えられるタール未含有のストリーム５３の量に影響を及ぼす。したがって、システム内のタール量全体の抑制をいうのは容易であるが、抽出ユニット全体の実際の操作において実現することは決して容易ではないことが理解できよう。しかしながら、このようなユニットの操作者は、熟練しており、目標のタール負荷量に本質的に合わせるようにこのユニットを抑制し得る。こうしたことが、操作者が従来最低タール負荷量２ｗｔ％を厳密に維持し得たが、今後はタール負荷量を１．６ｗｔ％以下に維持し得る理由である。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
体重を調節する個体において体重および／または脂肪の減少を誘導するか、体重および／または脂肪の増加を予防するか、ならびに／あるいは代謝による脂肪組織消費量を増大させるための組成物であって、カルシウム含有新鮮ホエイ製品の有効な量を含む、組成物。
【請求項２】
筋肉量を維持するかおよび／または筋肉量の増大を誘導することに使用するためのものである、請求項１に記載の組成物。
【請求項３】
前記組成物が、前記個体における体重および／または脂肪の減少の誘導、体重および／または脂肪の増加の予防、代謝による脂肪組織消費量の増大、ならびに／あるいは筋肉量の維持について、乳と同程度に有効である、請求項１に記載の組成物。
【請求項４】
前記個体は、カロリー制限された食事で維持される、請求項１に記載の組成物。
【請求項５】
前記筋肉は、四肢において維持される、請求項２に記載の組成物。
【請求項６】
前記筋肉は、骨格筋である、請求項２に記載の組成物。
【請求項７】
前記組成物は、脂肪パッド量の減少、腹部脂肪の減少、腎傍脂肪の減少または肩甲下脂肪の減少、およびそれらの組み合わせを選択的に誘導する、請求項１に記載の組成物。
【請求項８】
前記組成物は、筋肉量の増大を誘導する、請求項１に記載の組成物。
【請求項９】
前記新鮮ホエイ製品は、ホエイ由来タンパク質単離物またはホエイ由来無機質分画およびホエイ由来酵素阻害ペプチド分画、ならびに／あるいはそれらの組み合わせを含む、請求項１に記載の組成物。
【請求項１０】
前記ホエイ由来タンパク質単離物は、ウシ血清アルブミン、α−ラクトグロブリン、β−ラクトグロブリン、κ−カゼイン、ラクトフェリン、ラクトペルオキシダーゼ、および／または免疫グロブリンを含む、請求項９に記載の組成物。
【請求項１１】
前記ホエイ由来無機質画分は、カルシウム、銅、マグネシウム、リン、カリウム、セレン、亜鉛および／またはそれらの組み合わせを含む、請求項９に記載の組成物。
【請求項１２】
前記ホエイ由来無機質画分は、カルシウムを含む、請求項９に記載の組成物。
【請求項１３】
前記組成物は、乳製品を強化する、請求項１に記載の組成物。
【請求項１４】
前記乳製品は、乳、ヨーグルトまたはチーズである、請求項１３に記載の組成物。
【請求項１５】
前記新鮮ホエイ製品は、酵素阻害ペプチド画分を含む、請求項１に記載の組成物。
【請求項１６】
前記酵素阻害ペプチドは、アンギオテンシン変換酵素（ＡＣＥ）阻害ペプチドを含む、請求項１５に記載の組成物。
【請求項１７】
前記組成物は、粉末の形態にある、請求項１に記載の組成物。
【請求項１８】
前記組成物は、栄養組成物または食事組成物、あるいは栄養補助剤に組み込まれる、請求項１に記載の組成物。
【請求項１９】
前記組成物は、食品に組み込まれる、請求項１に記載の組成物。
【請求項２０】
前記食品は、飲料である、請求項１９に記載の組成物。
【請求項２１】
前記食品は、酸性ジュース飲料、酸性飲料、中性ｐＨ飲料、栄養補助食品、菓子製品、乳製品、ベーカリー製品および穀粉製品からなる群より選択される、請求項１９に記載の組成物。
【請求項２２】
前記組成物は、錠剤、カプセル剤、または他の無機質および／もしくはビタミンとの組み合わせの形態にある、請求項１に記載の組成物。
【請求項２３】
高血圧、脳卒中、肥満、腎臓結石、結腸癌、乳癌、頭頸部腫瘍、月経前症候群、産後うつ病、妊娠性高血圧障害、２型糖尿病、うつ病、喘息、炎症性腸疾患、注意欠陥障害、片頭痛、腎疾患、高コレステロール血症、うっ血性心不全、および免疫不全からなる群より選択される障害を処置することに使用するためのものである、請求項１に記載の組成物。
【請求項２４】
前記組成物は、肥満を処置することに使用するためのものである、請求項１に記載の組成物。
【請求項２５】
体重状態を処置するための組成物であって、ホエイ由来無機質画分、ホエイ由来タンパク質単離物、およびホエイ由来酵素阻害ペプチド画分からなる群より選択される２種以上の体重制御成分を含む新鮮ホエイ製品の治療的に有効な量を含み、該組成物を個体に投与することによって該個体において体重および／または脂肪の減少が誘導されるか、体重および／または脂肪の増加が予防されるか、ならびに／あるいは代謝による脂肪組織消費量が増大する、組成物。
【請求項２６】
前記投与により、さらに、筋肉量が維持されるかおよび／または筋肉量の増大が誘導される、請求項２５に記載の組成物。
【請求項２７】
ホエイ由来無機質画分、ホエイ由来タンパク質単離物およびホエイ由来酵素阻害ペプチド画分からなる群より選択される成分を含む治療的に有効な量の新鮮ホエイ製品をパッケージ中に含む体重管理組成物であって、該パッケージには、個体において体重および／または脂肪の減少を誘導するか、体重および／または脂肪の増加を予防するか、ならびに／あるいは代謝による脂肪組織消費量を増大させながらも筋肉量を維持するか、および／または筋肉量を増大させるために有効な量の該ホエイ製品を消費することの効果についての情報のラベルが付けられている、体重管理組成物。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
エチレンおよびプロピレンを含む混合軽質オレフィン原料ストリームと、単環芳香族化合物を含む芳香族原料ストリームとからガソリン沸点範囲生成物を製造するための方法であって、
該方法は、芳香族原料ストリーム中のベンゼンを含む単環芳香族化合物を、混合オレフィン原料ストリーム中のプロピレンと、第一の工程において、気相で、ＭＷＷ系のゼオライトを含む触媒成分を固定触媒床内に含む触媒系の存在下に、床温度９０℃〜２５０℃および圧力７，０００ｋＰａｇ以下で反応させる工程、および
第一の工程からの流出物を、第二の工程へ送り、そこで芳香族原料ストリーム中のベンゼンを含む単環芳香族化合物を、混合オレフィン原料ストリーム中のエチレンと、気相で、中間細孔径のＺＳＭ−５ゼオライトを含む触媒成分を固定床内に含む触媒系の存在下に、床温度が第一の工程の床温度より高温でかつ２００℃〜４００℃でおよび圧力７，０００ｋＰａｇ以下で反応させて、アルキル芳香族を含むガソリン沸点範囲生成物を形成させる工程
を含むことを特徴とするガソリン沸点範囲生成物の製造方法。
【請求項２】
前記ＭＭＷ系のゼオライトは、ＭＣＭ−２２系のゼオライトを含むことを特徴とする請求項１に記載の方法。
【請求項３】
前記中間細孔径のゼオライトは、アルファ値５０未満を有するＺＳＭ−５を含むことを特徴とする請求項１に記載の方法。
【請求項４】
前記中間細孔径のゼオライトは、アルファ値２０未満を有するＺＳＭ−５を含むことを特徴とする請求項３に記載の方法。
【請求項５】
前記ＺＳＭ−５ゼオライト触媒の床温度は、３４５℃〜３７５℃の範囲にあることを特徴とする請求項１に記載の方法。
【請求項６】
前記ＺＳＭ−５ゼオライト触媒の床における圧力は、１６００〜１９００ｋＰａｇであることを特徴とする請求項１に記載の方法。
【請求項７】
第一の工程からの前記流出物は、直接に、第二の工程へカスケードされることを特徴とする請求項１に記載の方法。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
少なくとも１つのオリゴマーウレタン（メタ）アクリレートを有する有機成分と表面改質シリカナノ粒子とを含む組成物の反応生成物から作られた規則的プリズムの直線アレイを含んでなる輝度向上重合構造物を備えた、輝度向上フィルム。
【請求項２】
前記フィルムが、０．５〜１０マイクロメートルの範囲の半径の丸みを帯びた頂点を有するターニングフィルムである、請求項１に記載の輝度向上フィルム。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
少なくとも1種の膨張可能な微小球体、および
少なくとも1種のイオン性化合物
を含み、約9.0以下のpHにおいて、10-6M〜0.1Mのイオン強度にてゼロmV以上のゼータ電位を有する組成物。
【請求項２】
前記ゼータ電位がゼロmVより大きい、請求項1に記載の組成物。
【請求項３】
前記ゼータ電位がゼロより大きい値〜+150mVの範囲である、請求項1に記載の組成物。
【請求項４】
前記ゼータ電位が+20mVより大きい値〜+130mVの範囲である、請求項1に記載の組成物。
【請求項５】
前記イオン性化合物が、イオン性有機化合物とイオン性無機化合物からなる群から選択される少なくとも1種の化合物である、請求項1に記載の組成物。
【請求項６】
前記イオン性化合物が少なくとも１種のポリ有機化合物である、請求項1に記載の組成
物。
【請求項７】
前記イオン性化合物が少なくとも１種のポリアミン化合物である、請求項1に記載の組
成物。
【請求項８】
前記イオン性化合物が、架橋化合物、分岐化合物、またはこれらの組み合わせ物である、請求項1に記載の組成物。
【請求項９】
前記イオン性化合物が少なくとも１種のポリエチレンイミン化合物である、請求項1に
記載の組成物。
【請求項１０】
前記イオン性化合物が、少なくとも600の重量平均分子量を有する少なくとも１種のポ
リエチレンイミン化合物である、請求項1に記載の組成物。
【請求項１１】
前記イオン性化合物が、600〜40,000の重量平均分子量を有する少なくとも１種のポリ
エチレンイミン化合物である、請求項1に記載の組成物。
【請求項１２】
前記イオン性化合物がカチオン性である、請求項1に記載の組成物。
【請求項１３】
前記イオン性化合物が、アルミナとシリカからなる群から選択される少なくとも1種の
物質を含む、請求項1に記載の組成物。
【請求項１４】
前記イオン性化合物が、シリカ、アルミナ、酸化スズ、ジルコニア、酸化アンチモン、酸化鉄、および希土類金属酸化物からなる群から選択される少なくとも1種の物質を含ん
だコロイドを含む、請求項1に記載の組成物。
【請求項１５】
前記イオン性化合物が、シリカ、アルミナ、酸化スズ、ジルコニア、酸化アンチモン、酸化鉄、および希土類金属酸化物からなる群から選択される少なくとも1種の物質を含ん
だゾルを含む、請求項1に記載の組成物。
【請求項１６】
組成物が粒子である、請求項1に記載の組成物。
【請求項１７】
少なくとも1種の膨張可能な微小球体の外面がイオン性化合物に結びつけられている、
請求項16に記載の組成物。
【請求項１８】
少なくとも1種の膨張可能な微小球体の外面がイオン性化合物に非共有結合的に結びつ
けられている、請求項16に記載の組成物。
【請求項１９】
少なくとも1種の膨張可能な微小球体の外面がアニオン性である、請求項16に記載の粒
子。
【請求項２０】
前記イオン性がカチオン性である、請求項16に記載の粒子。
【請求項２１】
少なくとも1種の膨張可能な微小球体と少なくとも1種のイオン性化合物とを接触させて混合物を作製することを含む、請求項1に記載の組成物の製造法。
【請求項２２】
混合物を遠心分離にかけて、少なくとも1種のイオン性化合物を含んだ第1の相と、粒子を含んだ第2の相を作製することをさらに含む、請求項２１に記載の製造法。
【請求項２３】
少なくとも1種のイオン性化合物を少なくとも1種の膨張可能な微小球体に吸着させることを含む、請求項1に記載の組成物の製造法。
【請求項２４】
複数種のセルロース繊維をさらに含む、請求項1に記載の組成物。
【請求項２５】
少なくとも1種の膨張可能な微小球体の外面がイオン性化合物に結びつけられている、
請求項２４に記載の組成物。
【請求項２６】
少なくとも1種の膨張可能な微小球体の外面がイオン性化合物に非共有結合的に結びつ
けられている、請求項２４に記載の組成物。
【請求項２７】
少なくとも１種の膨張可能な微小球体と少なくとも１種のイオン性化合物とを接触させて粒子を作製すること;および前記粒子と前記複数種のセルロース繊維とを接触させるこ
と;を含む、請求項２４に記載の組成物の製造法。
【請求項２８】
少なくとも１種の膨張可能な微小球体と少なくとも１種のイオン性化合物とを接触させて粒子を作製すること;および複数種のセルロース繊維を含んだ溶液中に前記粒子を注入
すること;を含む、請求項２４に記載の組成物の製造法。
【請求項２９】
複数種のセルロース繊維;
0.1〜5重量%の複数種の膨張可能な微小球体;および
6以下のスキャニング2ndシアンプリントモトル;
を含み、TAPPI試験法T538om-1による測定にて250SU未満のシェフィールド平滑度を有する紙基材または板紙基材。
【請求項３０】
膨張可能な微小球体の外面がイオン性化合物に結びつけられている、請求項２９に記載の基材。
【請求項３１】
0.1〜3重量%の複数種の膨張可能な微小球体を含む、請求項２９に記載の基材。
【請求項３２】
0.1〜2重量%の複数種の膨張可能な微小球体を含む、請求項２９に記載の基材。
【請求項３３】
少なくとも1つのコーティング層をさらに含む、請求項２９に記載の基材。
【請求項３４】
コーティング層が、少なくとも1つのトップコートと少なくとも1つのベースコートを含む、請求項２９に記載の基材。
【請求項３５】
TAPPI試験法T538om-1による測定にて、シェフィールド平滑度が250SU未満であり、前記基材をカレンダリングした後のスキャニングプリントモトルが6未満である、請求項２９
に記載の基材。
【請求項３６】
TAPPI試験法T555om-99による測定にて、基材が約1.0〜0.5のパーカープリント表面平滑度を有する、請求項２９に記載の基材。
【請求項３７】
請求項２９に記載の基材を含む物品。
【請求項３８】
前記物品が折り畳み式段ボール箱である、請求項３４に記載の物品。
【請求項３９】
セルロース繊維のウェブと増量剤を含んだ少なくとも1種の紙基材または板紙基材を含
む物品であって、物品の重量が1オンス以下であり、1オンスとの差が、同じ数の層を有する従来の包装材料のそれより大きい絶対値となるような重量を物品が有する、前記物品。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
ａ．テトラフルオロエチレン、ヘキサフルオロプロピレン、クロロトリフルオロエチレン、フッ化ビニリデン、パーフルオロ−（２,２−ジメチル−１,３−ジオキソール）、パーフルオロ−（２−メチレン−４−メチル−１,３−ジオキソラン）、ＣＦ2＝ＣＦＯ(ＣＦ2)tＣＦ＝ＣＦ2（ここで、ｔは１または２である）、およびＲf”ＯＣＦ＝ＣＦ2（式中、Ｒf”は１〜１０個の炭素原子のフルオロアルキル基である）よりなる群から選択されるフルオロ−オレフィンから誘導される繰り返し単位、
ｂ．酸触媒開環重合によって架橋することができる少なくとも１つの架橋性官能基、Ｒを含んでなる繰り返し単位、ならびに
ｃ．少なくとも１つの保護された酸官能基を含んでなる繰り返し単位
を含んでなるポリマー組成物。
【請求項２】
前記架橋性官能基、Ｒが次の構造
【化１】
2008535950.tif 000001
（式中、Ｒ1はＨまたはＣ1〜Ｃ3アルキルであり、そしてＲfおよびＲf’は独立して１〜１０個の炭素原子の部分または完全フッ素化アルキル基であるか、または一緒になって(ＣＦ2)n（式中、ｎは２〜１０である）である）
を有する、請求項１に記載のポリマー組成物。
【請求項３】
ａ．テトラフルオロエチレン、ヘキサフルオロプロピレン、クロロトリフルオロエチレン、フッ化ビニリデン、パーフルオロ−（２,２−ジメチル−１,３−ジオキソール）、パーフルオロ−（２−メチレン−４−メチル−１,３−ジオキソラン）、ＣＦ2＝ＣＦＯ(ＣＦ2)tＣＦ＝ＣＦ2（ここで、ｔは１または２である）、およびＲf”ＯＣＦ＝ＣＦ2（式中、Ｒf”は１〜１０個の炭素原子のフルオロアルキル基である）から選択されるフルオロ−オレフィンから誘導される繰り返し単位、
ｂ．酸触媒開環重合によって架橋することができる少なくとも１つの官能基を含んでなる繰り返し単位、
ｃ．少なくとも１つの保護された酸官能基を含んでなる繰り返し単位、ならびに
ｄ．光酸発生剤
を含んでなる光画像形成可能な組成物。
【請求項４】
ａ．テトラフルオロエチレン、ヘキサフルオロプロピレン、クロロトリフルオロエチレン、フッ化ビニリデン、パーフルオロ−（２,２−ジメチル−１,３−ジオキソール）、パーフルオロ−（２−メチレン−４−メチル−１,３−ジオキソラン）、ＣＦ2＝ＣＦＯ(ＣＦ2)tＣＦ＝ＣＦ2（ここで、ｔは１または２である）、およびＲf”ＯＣＦ＝ＣＦ2（式中、Ｒf”は１〜１０個の炭素原子のフルオロアルキル基である）から選択されるフルオロ−オレフィンから誘導される繰り返し単位、
ｂ．酸触媒開環重合によって架橋することができる少なくとも１つの官能基を含んでなる繰り返し単位、
ｃ．少なくとも１つの保護された酸官能基を含んでなる繰り返し単位、ならびに
ｄ．酸触媒
を含んでなる熱硬化性組成物。
【請求項５】
請求項４に記載の熱硬化性組成物を加熱する工程を含んでなる熱硬化方法。
【請求項６】
請求項５に記載の方法によって製造される熱硬化生成物。
【請求項７】
請求項６に記載の熱硬化生成物を含んでなるフィルムまたは物品。
【請求項８】
シリコンウェハおよび請求項６に記載の熱硬化生成物を含んでなる物品。
【請求項９】
請求項８に記載の物品を含んでなる電子デバイス。
【請求項１０】
ａ．テトラフルオロエチレン、ヘキサフルオロプロピレン、クロロトリフルオロエチレン、フッ化ビニリデン、パーフルオロ−（２,２−ジメチル−１,３−ジオキソール）、パーフルオロ−（２−メチレン−４−メチル−１,３−ジオキソラン）、ＣＦ2＝ＣＦＯ(ＣＦ2)tＣＦ＝ＣＦ2（ここで、ｔは１または２である）、およびＲf”ＯＣＦ＝ＣＦ2（式中、Ｒf”は１〜１０個の炭素原子のフルオロアルキル基である）から選択されるフルオロ−オレフィンから誘導される繰り返し単位、
ｂ．酸触媒開環重合によって架橋することができる少なくとも１つの官能基を含んでなる繰り返し単位、
ｃ．少なくとも１つの保護された酸官能基を含んでなる繰り返し単位、ならびに
ｄ．光酸発生剤
を含んでなる光画像形成可能なおよび熱硬化性の組成物。
【請求項１１】
請求項１、３、４、または１０のいずれか一項に記載の組成物を含んでなる有機発光ダイオード。
【請求項１２】
請求項１、３、４、または１０のいずれか一項に記載の組成物を含んでなる液晶ディスプレイ。 
【手続補正２】
【補正対象書類名】明細書
【補正対象項目名】００１６
【補正方法】変更
【補正の内容】
【００１６】
別の態様は、本発明のポリマー組成物および酸触媒または光酸発生剤を含んでなる熱硬化性組成物を提供する。該酸触媒は光酸発生剤から発生することもある。
【手続補正３】
【補正対象書類名】明細書
【補正対象項目名】００１８
【補正方法】変更
【補正の内容】
【００１８】
別の態様は、本発明の熱硬化性組成物を加熱する工程、または熱硬化性組成物を光に露光させて酸を光化学的に発生させる工程を含んでなる熱硬化方法を提供する。この方法によって製造される熱硬化生成物は、誘電性が３.０未満である。熱硬化方法によって製造されるフィルムまたは物品もまた提供される。
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
(a) 少なくとも一の第一付着部位を有し、ウイルス様粒子(ＶＬＰ)又はウイルス粒子であるコア粒子と、
(b) 少なくとも一の第二付着部位を有し、Ｆｅｌ ｄ１タンパク質又はＦｅｌ ｄ１断片である少なくとも一の抗原
とを含んでなる組成物であって、好ましくは該少なくとも一の抗原がＦｅｌ ｄ１タンパク質であり、該Ｆｅｌ ｄ１タンパク質がＦｅｌ ｄ１の鎖１とＦｅｌ ｄ１の鎖２とを含んでなり、少なくとも一の共有結合を介して該Ｆｅｌ ｄ１の鎖１が該Ｆｅｌ ｄ１の鎖２に結合しており、(a)と(b)が該少なくとも一の第一付着部位と該少なくとも一の第二付着部位を介して共有結合している、組成物。
【請求項２】
前記少なくとも一の抗原がＦｅｌ ｄ１タンパク質であり、該Ｆｅｌ ｄ１のタンパク質がＦｅｌ ｄ１の鎖１とＦｅｌ ｄ１の鎖２とを含んでなる融合タンパク質であり、該Ｆｅｌ ｄ１の鎖１と該Ｆｅｌ ｄ１の鎖２が一ペプチド結合を介して直接又はスペーサーを介して融合しており、該スペーサーが一方の鎖のＮ末端が他方の鎖のＣ末端と結合している、請求項１に記載の組成物。
【請求項３】
前記Ｆｅｌ ｄ１の鎖２がそのＣ末端を経由して、直接又はスペーサーを介してＦｅｌ ｄ１の鎖１のＮ末端に融合している、請求項２に記載の組成物。
【請求項４】
前記Ｆｅｌ ｄ１の鎖１がそのＣ末端を経由して、直接又はスペーサーを介してＦｅｌ ｄ１の鎖２のＮ末端に融合している、請求項２に記載の組成物。
【請求項５】
前記Ｆｅｌ ｄ１の鎖１と前記Ｆｅｌ ｄ１の鎖２がスペーサーを介して融合しており、該スペーサーが一方の鎖のＮ末端を他方の鎖のＣ末端と結合させており、該スペーサーが１〜２０のアミノ酸残基を有するアミノ酸配列からなる、請求項２ないし４の何れか一に記載の組成物。
【請求項６】
前記Ｆｅｌ ｄ１の鎖１と前記Ｆｅｌ ｄ１の鎖２がスペーサーを介して融合しており、該スペーサーが一方の鎖のＮ末端を他方の鎖のＣ末端と結合させており、該スペーサーが１０〜３０のアミノ酸残基のアミノ酸配列からなり、好ましくは該スペーサーが１５のアミノ酸残基のアミノ酸配列からなり、最も好ましくは該スペーサーが（ＧＧＧＧＳ）３である、請求項２ないし４の何れか一に記載の組成物。
【請求項７】
前記融合タンパク質が、
(a) 配列番号２４；
(b) 配列番号５４；
(c) 配列番号５５；
(d) 配列番号５６；及び
(e) 配列番号５７
からなる群から選択されるアミノ酸配列を含有する、請求項２ないし６の何れか一に記載の組成物。
【請求項８】
前記少なくとも一の抗原がＦｅｌ ｄ１タンパク質であり、該Ｆｅｌ ｄ１タンパク質が、
(a) 配列番号２４；
(b) 配列番号５４；
(c) 配列番号５５；
(d) 配列番号５６；及び
(e) 配列番号５７
からなる群から選択され、好ましくは該Ｆｅｌ ｄ１タンパク質が配列番号５５である、請求項２ないし６の何れか一に記載の組成物。
【請求項９】
前記Ｆｅｌ ｄ１の鎖１が、配列番号２２の配列ないしはそのホモログ配列を含んでなり、該ホモログ配列が配列番号２２に８０％以上、好ましくは９０％以上、さらにより好ましくは９５％以上の同一性を有し、最も好ましくはＦｅｌ ｄ１の鎖１が配列番号２２のアミノ酸配列からなる、請求項２ないし８の何れか一に記載の組成物。
【請求項１０】
前記Ｆｅｌ ｄ１の鎖２が、配列番号２３、配列番号２５又は配列番号２６の配列ないしはそのホモログ配列を含んでなり、該ホモログ配列が配列番号２３、配列番号２５又は配列番号２６に８０％以上、好ましくは９０％以上、さらにより好ましくは９５％以上の同一性を有し、最も好ましくはＦｅｌ ｄ１の鎖２が配列番号２３のアミノ酸配列からなる、請求項２ないし８の何れか一に記載の組成物。
【請求項１１】
前記コア粒子がウイルス様粒子であり、好ましくは該ウイルス様粒子がＲＮＡバクテリオファージのウイルス様粒子である、請求項１ないし１０の何れか一に記載の組成物。
【請求項１２】
前記ＲＮＡバクテリオファージがＱβ、ｆｒ、ＧＡ又はＡＰ２０５である、請求項１１に記載の組成物。
【請求項１３】
前記ＲＮＡバクテリオファージがバクテリオファージＱβである、請求項１１に記載の組成物。
【請求項１４】
ＲＮＡバクテリオファージの前記ウイルス様粒子が配列番号１のコートタンパク質を含む、請求項１１に記載の組成物。
【請求項１５】
前記第一付着部位が、アミノ基、好ましくはリジンのアミノ基を含有するか又は好ましくはそのものである、請求項１ないし１４の何れか一に記載の組成物。
【請求項１６】
前記第二付着部位が、スルフヒドリル基、好ましくはシステインのスルフヒドリル基を含有するか又は好ましくはそのものである、請求項１ないし１５の何れか一に記載の組成物。
【請求項１７】
前記第一付着部位がアミノ基を含有し、前記第二付着部位がスルフヒドリル基を含有し、好ましくは該アミノ基がリジンのアミノ基であり、さらに好ましくは該スルフヒドリル基がシステインのスルフヒドリル基である、請求項１ないし１６の何れか一に記載の組成物。
【請求項１８】
さらにリンカーを含有し、該リンカーが、前記Ｆｅｌ ｄ１タンパク質のＣ末端に融合する、請求項１ないし１７の何れか一に記載の組成物。
【請求項１９】
医薬として使用するための、請求項１ないし１８の何れか一に記載の組成物。
【請求項２０】
請求項１ないし１８の何れか一に記載の組成物を含有してなり、好ましくはさらに少なくとも一のアジュバントを含有してなるワクチン。
【請求項２１】
(a) 請求項１ないし１８の何れか一に記載の組成物、と
(b) 薬学的に受容可能な担体
とを含んでなる薬剤組成物。
【請求項２２】
(a) 少なくとも一の第一付着部位を有するコア粒子であって、ウイルス様粒子(ＶＬＰ)又はウイルス粒子であるコア粒子を供給する、
(b) 少なくとも一の第二付着部位を有する少なくとも一の抗原であって、Ｆｅｌ ｄ１タンパク質ないしはＦｅｌ ｄ１断片であり、好ましくは該Ｆｅｌ ｄ１タンパク質がＦｅｌ ｄ１の鎖１とＦｅｌ ｄ１の鎖２とを含んでなり、少なくとも一の共有結合を介して該Ｆｅｌ ｄ１の鎖１が該Ｆｅｌ ｄ１の鎖２に結合している、抗原を供給する、
(c) 該コア粒子と該少なくとも一の抗原を結合させて、該少なくとも一の第一付着部位と該少なくとも一の第二付着部位を介して該少なくとも一の抗原と該コア粒子が結合している組成物を産生する
ことを含む、請求項１ないし１８の何れか一に記載の組成物の産生方法。
【請求項２３】
ネコアレルギーの治療のための医薬の製造のための、請求項１ないし１８の何れか一に記載の組成物の使用。
【請求項２４】
請求項１ないし１８の何れか一に記載の組成物がヒト又は非ヒト動物に投与されることを含み、好ましくは該非ヒト動物がイヌ又はネコである、請求項２３に記載の使用。
【請求項２５】
前記組成物が、注射、注入、吸入、経口投与によって、又は筋肉内、静脈内、粘膜経由、経皮、鼻腔内、又は皮下に投与される、請求項２４に記載の使用。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
内皮細胞におけるＤＳＣＲ１活性を調節するＤＳＣＲ１モジュレーター。
【請求項２】
モジュレーターが、ＶＥＧＦレセプター２(ＶＥＧＦＲ-２)を介してのシグナル伝達により誘導されるＤＳＣＲ１活性を調節する、請求項１に記載のＤＳＣＲ１モジュレーター。
【請求項３】
モジュレーターが、ＤＳＣＲ１-カルシニューリンＡ(ＣｎＡ)経路を調節する、請求項１又は２に記載のＤＳＣＲ１モジュレーター。
【請求項４】
ＤＳＣＲ１モジュレーターが、ＮＦＡＴ活性に関連した細胞性イベントを調節する、請求項１から３の何れか一項に記載のＤＳＣＲ１モジュレーター。
【請求項５】
細胞性イベントが、ＮＦＡＴリン酸化、ＮＦＡＴ核移行、又はＮＦＡＴ転写活性である、請求項４に記載のＤＳＣＲ１モジュレーター。
【請求項６】
モジュレーターが、ＣｎＡにより誘導される遺伝子発現に拮抗可能なポリペプチドをコードする核酸を含む、請求項１から５の何れか一項に記載のＤＳＣＲ１モジュレーター。
【請求項７】
ポリペプチドが、ＤＳＣＲ１の少なくとも一部を含むペプチドであってＣｎＡと相互作用可能であるペプチドを含む、請求項６に記載のＤＳＣＲ１モジュレーター。
【請求項８】
ポリペプチドが、ヒトＤＳＣＲ１の約９６から約１２５位、又は約１０８から１２２位のアミノ酸を含む、請求項６又は７に記載のＤＳＣＲ１モジュレーター。
【請求項９】
モジュレーターが、ＤＳＣＲ１機能と拮抗可能である、請求項１又は２に記載のＤＳＣＲ１モジュレーター。
【請求項１０】
モジュレーターが、内皮細胞に存在すると細胞中においてＤＳＣＲ１の活性を抑制する核酸を含む、請求項９に記載のＤＳＣＲ１モジュレーター。
【請求項１１】
核酸がアンチセンスオリゴヌクレオチドを含む、請求項１０に記載のＤＳＣＲ１モジュレーター。
【請求項１２】
核酸が阻害性／干渉性ＲＮＡを含む、請求項１０に記載のＤＳＣＲ１モジュレーター。
【請求項１３】
阻害性／干渉性ＲＮＡが低分子阻害性／干渉性ＲＮＡ(ｓｉＲＮＡ)である、請求項１２に記載のＤＳＣＲ１モジュレーター。
【請求項１４】
内皮細胞が、ＧＣＵＣＡＧＡＣＣＵＵＡＣＡＣＡＵＡＧ（配列番号２）、ＧＧＡＣＡＵＣＡＣＣＵＵＵＣＡＧＵＡＵ（配列番号３）、ＧＡＡＡＧＡＡＵＧＡＧＧＡＧＡＣＣＵＡ（配列番号４）、ＧＡＣＡＵＣＡＣＣＵＵＵＣＡＧＵＡＵＵ（配列番号５）、ＡＡＣＧＵＡＵＧＡＣＡＡＧＧＡＣＡＵＣＡＣ（配列番号６）、ＡＡＧＧＡＣＡＵＣＡＣＣＵＵＵＣＡＧＵＡＵ（配列番号７）、ＡＡＧＵＵＡＵＡＵＵＵＵＧＣＵＣＡＧＡＣＣ（配列番号８）及びＡＡＧＡＵＧＣＧＡＣＣＣＣＡＧＵＣＡＵＡＡ（配列番号９）からなる群から選択される一又は複数の配列を含む、請求項１２又は１３に記載のＤＳＣＲ１モジュレーター。
【請求項１５】
核酸がアプタマーを含む、請求項１０に記載のＤＳＣＲ１モジュレーター。
【請求項１６】
異常な脈管炎症に関連した疾患の治療のための医薬であって、請求項１から１５の何れか一項に記載のＤＳＣＲ１モジュレーターを含有してなる医薬。
【請求項１７】
モジュレーターが、脈管構造に関連した炎症を増加させる、請求項１６に記載の医薬。
【請求項１８】
モジュレーターが、脈管構造に関連した炎症を阻害する、請求項１６に記載の医薬。
【請求項１９】
異常な脈管炎症に関連した免疫学的疾患の治療のための医薬であって、請求項１から１５の何れか一項に記載のＤＳＣＲ１モジュレーターを含有してなる医薬。
【請求項２０】
モジュレーターが、脈管構造に関連した炎症を増加させる、請求項１９に記載の医薬。
【請求項２１】
モジュレーターが、脈管構造に関連した炎症を阻害する、請求項２０に記載の医薬。
【請求項２２】
脈管完全性の混乱に関連した疾患の治療のための医薬であって、請求項１から１５の何れか一項に記載のＤＳＣＲ１モジュレーターを含有してなる医薬。
【請求項２３】
脈管完全性の混乱が、脈管／内皮細胞関連炎症に関連している、請求項２２に記載の医薬。
【請求項２４】
モジュレーターが、脈管構造に関連した炎症を増加させる、請求項２３に記載の医薬。
【請求項２５】
モジュレーターが、脈管構造に関連した炎症を阻害する、請求項２３に記載の医薬。
【請求項２６】
抗炎症治療に伴う副作用を改善するための医薬であって、請求項１から１５の何れか一項に記載のＤＳＣＲ１モジュレーターを含有してなり、抗炎症治療と併用して投与されてその副作用を改善する医薬。
【請求項２７】
ＤＳＣＲ１モジュレーターが内皮細胞におけるＤＳＣＲ１活性を阻害する、請求項２６に記載の医薬。
【請求項２８】
抗炎症治療が炎症を抑制する薬剤を含む、請求項２６又は２７に記載の医薬。
【請求項２９】
モジュレーターが、脈管構造に関連した炎症を増加させる、請求項２６に記載の医薬。
【請求項３０】
モジュレーターが、脈管構造に関連した炎症を阻害する、請求項２６に記載の医薬。
【請求項３１】
所望しない血管形成に関連した疾患の治療のための医薬であって、抗血管形成剤と、請求項１から１５の何れか一項に記載のＤＳＣＲ１モジュレーターとを含む医薬。
【請求項３２】
腫瘍の増殖又は癌細胞の増殖を抑制するための医薬であって、抗癌剤と請求項１から１５の何れか一項に記載のＤＳＣＲ１モジュレーターとを含み、これらが協働して腫瘍又は癌細胞の増殖を抑制する医薬。
【請求項３３】
抗癌剤が抗血管形成剤を含む、請求項３２に記載の医薬。
【請求項３４】
抗血管形成剤がＶＥＧＦアンタゴニストを含む、請求項３３に記載の医薬。
【請求項３５】
ＶＥＧＦアンタゴニストが抗ＶＥＧＦ抗体である、請求項３４に記載の医薬。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
式：
【化１】
2008535794.tif 000001
を有し、上式中、Ｙが水素原子、ハロゲン原子、アルキル基、およびアリール基またはペルフルオロエーテルアシル基であり、ｐが少なくとも１であり、Ｒfがペルフルオロエーテル基である、化合物。
【請求項２】
式：
【化２】
2008535794.tif 000002
を有し、上式中、各Ｒfが独立にペルフルオロエーテル基であり、ｎが少なくとも１である、請求項１に記載の化合物。
【請求項３】
ａ．ビス−トリアルキルスタンニル（オリゴ）チオフェンを
ｂ．２−ハロ−５−ペルフルオロエーテルアシルチオフェンまたは５−ハロ−５’−ペルフルオロエーテルアシルオリゴチオフェンと、
ｃ．パラジウム触媒の存在下で
反応させる工程を含む、請求項２に記載の化合物を調製する方法。
【請求項４】
半導体層が、請求項１又は２に記載の式の化合物を含む、ｎチャネル半導体デバイス。
【請求項５】
ゲート電極を提供する工程と、
ゲート誘電体層を前記ゲート電極の表面上に堆積する工程と、
前記ゲート電極の反対側の前記ゲート誘電体層に隣接した、請求項１又は２に記載の式の化合物を含む半導体層を作製する工程と
を含む、有機薄膜トランジスタを作製する方法。
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
非回転フレームと、
前記非回転フレームにより支持された回転可能リングと、
事前ストレッチ用部分を有すると共に、前記回転可能リング上に取付けられたフィルム供与器と、
前記非回転フレームに対して前記回転可能リングと共に垂直に移動可能な回転不能リングと、
前記回転可能リングを回転させる一方で前記事前ストレッチ用部分を駆動し、予め定めた固定長の事前ストレッチフィルムを前記回転可能リングの各回転毎に供与すべく構成された駆動機構とを備えている、荷物をストレッチ包装する装置。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
使用者により吸入される１回分の服用量の薬剤をそれぞれ個別に受けて格納するよう構成された複数の離間したブリスター空洞部を備えるブリスターパックであって、前記パックは、ホイル層と、外部ポリマー層と、前記ホイル層を傷つけずに前記外部ポリマー層の各ブリスター空洞部または多数のブリスター空洞部の間の一部を前記ホイル層から実質的に除去すること、又は前記外部ポリマー層の一部を薄くすることにより形成された脆弱領域とを含む、ブリスターパック。
【請求項２】
前記パックは前記ホイル層の前記外部ポリマー層の反対側に内部ポリマー層を含む、請求項１に記載のブリスターパック。
【請求項３】
前記脆弱領域は、前記外部ポリマー層の一部を前記ホイル層から実質的に除去または置換することに加えて、実質的に前記内部ポリマー層を置換することにより形成される、請求項２に記載のブリスターパック。
【請求項４】
前記ブリスター空洞部が形成されるベース部と前記ブリスター空洞部をシールする実質的に平板な蓋部とを含む、請求項２又は３に記載のブリスターパック。
【請求項５】
前記外部および内部ポリマー層ならびに前記ホイル層が前記ベース部の一部を形成する、請求項４に記載のブリスターパック。
【請求項６】
前記内部ポリマー層の厚みは６０μｍ未満である、請求項２から請求項５のいずれかに記載のブリスターパック。
【請求項７】
前記内部ポリマー層の厚みは１５μｍ〜４０μｍの間である、請求項６に記載のブリスターパック。
【請求項８】
前記内部ポリマー層の厚みは３０μｍである、請求項７に記載のブリスターパック。
【請求項９】
細長いブリスター片を含む、前掲の請求項のいずれかに記載のブリスターパック。
【請求項１０】
前記脆弱領域は前記ブリスター片の各ブリスターの間に設けられる、請求項９に記載のブリスターパック。
【請求項１１】
前記脆弱領域または各脆弱領域は非連続である、前掲の請求項のいずれかに記載のブリスターパック。
【請求項１２】
前記外部ポリマー層は、各脆弱領域が一連の脆弱または非脆弱部分から形成されるように、各脆弱領域に沿って延びる個別の離間した領域から実質的に除去または置換される、請求項１１に記載のブリスターパック。
【請求項１３】
前記脆弱領域は、前記引き裂きの開始を容易にするためにパックの端部に形成される、前掲の請求項のいずれかに記載のブリスターパック。
【請求項１４】
前記パックの端部に引き裂きの開始を容易にするためのノッチ、ニック、またはミシン目を備える、前掲の請求項のいずれかに記載のブリスターパック。
【請求項１５】
前記脆弱領域の少なくとも一部が狭い帯または線である、前掲の請求項のいずれかに記載のブリスターパック。
【請求項１６】
前記脆弱領域は、狭い帯または線と前記線が前記パックの端部に交差する拡大脆弱領域とを含む、請求項１５に記載のブリスターパック。
【請求項１７】
前記狭い帯または線は、前記パックの前記線の端部が前記パックの端部に交差する２つの拡大脆弱領域間にわたって延びる、請求項１６に記載のブリスターパック。
【請求項１８】
ホイル層と外部ポリマー層とを含むブリスターパックの、使用者により吸入される１回分の服用量の薬剤を個別に受けて格納する隣接するブリスター空洞部の間に脆弱領域を設ける方法であって、前記ホイル層を傷つけずに前記外部ポリマー層の一部を前記ホイル層から実質的に除去すること、又は前記外部ポリマー層の一部を薄くすることにより当該脆弱領域を形成するステップを含む方法。
【請求項１９】
前記外部ポリマー層の一部を前記ホイル層から実質的に除去または置換して脆弱領域を形成する前記ステップは、前記ホイルから、前記パックに熱を加えて、前記外部ポリマー層の一部を溶融もしくは柔らかくするステップを含む、請求項１８に記載の方法。
【請求項２０】
前記脆弱領域が前記パックの端部と交差する領域で、引き裂きを開始する手段を形成するステップを含む、請求項１９に記載の方法。
【請求項２１】
前記ホイル層を傷つけずに、前記パックに熱を加えて、前記外部ポリマー層の一部を溶融もしくは柔らかくして前記脆弱領域を形成するステップは、レーザを使うステップを含む、請求項１９又は２０に記載の方法。
【請求項２２】
ホイル層と外部ポリマー層とを含むブリスターパックの、使用者により吸入される１回分の服用量の薬剤を個別に受けて格納する隣接するブリスター空洞部の間に脆弱領域を設ける機器であって、前記外部ポリマー層の一部を前記ホイル層から実質的に除去または置換するよう、前記ブリスターパックの一部の脆弱領域が形成される領域を加熱および圧縮する加熱ブレード部材を備え、前記ブリスターパックが配置されるベース部材と、前記加熱ブレード部材に従属し、脆弱領域の形成時に前記ベース部材と係合して前記加熱ブレード部材と前記ベース部材との間に所定の距離を維持するストップ部材とを備えることを特徴とする、機器。
【請求項２３】
前記加熱ブレード部材に従属し、脆弱領域が前記パックの端部に交差する領域において前記パックの一部を切断し、脆弱領域に引き裂きを開始する手段を形成する切断部材とを備える、請求項２２に記載の機器。
【請求項２４】
ブリスターパックを製造するための封止具であって、複数のブリスター空洞部を有するベース部と、前記ベース部の空洞部上に取り付けられて１回分の服用量が各ブリスター空洞部に配されるとこれをシールする蓋部とを備え、前記パックはホイル層と１つ以上のポリマー層とを含み、前記封止具は、ブリスターベース部と前記ベース部上に配された蓋部とを圧縮加熱して前記蓋部を前記ベース部にヒートシールする加熱された表面を備え、前記シール表面は、前記ホイル層を傷つけずに、前記蓋部が前記ベース部にヒートシールされると前記外部ポリマー層の一部を前記ホイル層から実質的に除去または薄くして脆弱領域を形成する隆起部を含む、封止具。
【請求項２５】
前記加熱表面はギザギザであり、前記隆起領域は前記ギザギザのパターンの最も高い表面に実質的に水平である、請求項２４に記載の封止具。
【請求項２６】
前記加熱表面ギザギザであり、前記隆起部は０．２ｍｍを上限にギザギザのパターンよりも高くなっている、請求項２５に記載の封止具。
【請求項２７】
前記隆起部は、パックの端部に脆弱領域を形成する第１の部分と、前記パックの端部から離れた前記第１の部分から延びる別の脆弱領域を形成する第２の部分とを有する、請求項２４から請求項２６のいずれかに記載の封止具。
【請求項２８】
前記第１の部分の前記表面からの高さは前記第２の部分の前記表面からの高さよりも高い、請求項２７に記載の封止具。
【請求項２９】
請求項１から請求項１７のいずれかに記載のブリスターパックを収容する吸入器。